(57)【要約】【課題】快速にスプレー缶を挟むことができる挟み機構を提供する。【解決手段】本考案『快速にスプレー缶を挟むことができる挟み機構』には本体とばねが含まれる。本体には第一端と第二端が備えられ、第一端にはグリップ部が設けられ、第二端には挟み装置が設けられ、挟み装置内には収納空間が形成され、収納空間はスプレー缶の一端を収納することができ、挟み装置には二つの挟み部が設けられ、二つの挟み部の一端からそれぞれ引動部が延伸され、二つの挟み部の他の一端からはそれぞれ掴み部が設けられ、二つの挟み部が挟み位置にある場合、二つの引動部は外力の作用を受けなく、二つの掴み部はスプレー缶の一端を掴み取ることができ、二つの挟み部が釈放位置にある場合、二つの引動部は外力の作用を受けてスプレー缶を二つの掴み部から離脱させる。ばねは挟み装置の一端に結合し、二つの掴み部をより緊迫にスプレー缶の一端を挟むようにする。【選択図】図２
0003134856.tif 000002
【実用新案登録請求の範囲】
【請求項１】
快速にスプレー(spray)缶を挟むことができる挟み機構であって、第一端と第二端を備え、第一端にはグリップ(grip)部が設けられ、第二端には挟み装置が設けられ、挟み装置内には収納空間が形成され、収納空間はスプレー缶の一端を収納することができ、挟み装置には二つの挟み部が設けられ、二つの挟み部の一端からそれぞれ引動部が延伸され、二つの挟み部の他の一端からはそれぞれ掴み部が設けられ、二つの挟み部が挟み位置にある場合、二つの引動部は外力の作用を受けなく、二つの掴み部はスプレー缶の一端を掴み取ることができ、二つの挟み部が釈放位置にある場合、二つの引動部は外力の作用を受けてスプレー缶を二つの掴み部から離脱させる本体と、前記挟み装置の一端に結合し、二つの掴み部をより緊迫にスプレー缶の一端を挟むようにするばねとからなるものを特徴とする快速にスプレー缶を挟むことができる挟み機構。
【請求項２】
前記本体は互いに対応して結合し、かつ一体成型された二つの外殻を備えることを特徴とする請求項１記載の快速にスプレー缶を挟むことができる挟み機構。
【請求項３】
前記挟み機構は更に前記本体に枢設され、引き押し部と押し付け部が設けられてあるトリガー(trigger)が備えられ、引き押し部をグリップ部へ引きつけると押し付け部を下へ運動させることができることを特徴とする請求項１記載の快速にスプレー缶を挟むことができる挟み機構。
【請求項４】
前記挟み装置にはスプレー缶の一端に対応する孔が形成され、前記トリガーの押し付け部はスプレー缶の上側にあり、押し付け部はスプレー缶を押し付けてスプレー缶の内容物を孔の外へ噴出させることを特徴とする請求項３記載の快速にスプレー缶を挟むことができる挟み機構。
【請求項５】
前記二つの挟み部が釈放位置にある場合、前記二つの引動部は外力の作用を受けて内側へ運動し、かつ前記二つの掴み部は外へ開き、二つの掴み部のばねに異なる隣接個所は開口を形成し、前記二つの挟み部が挟み位置にある場合、前記二つの掴み部のばねに異なる隣接個所は密閉状態に表れることを特徴とする請求項１記載の快速にスプレー缶を挟むことができる挟み機構。
【請求項６】
前記二つの掴み部のスプレー缶に近い個所にはスプレー缶を支える支え面が形成されてあることを特徴とする請求項１記載の快速にスプレー缶を挟むことができる挟み機構。
【請求項７】
前記二つの掴み部の支え面の上側には一端がスプレー缶を当て付ける最少一つの突起が設けられてあることを特徴とする請求項６記載の快速にスプレー缶を挟むことができる挟み機構。
【請求項８】
前記突起の一端には当て付け部と位置限定部が設けられ、当て付け部と位置限定部はそれぞれスプレー缶を当て付けることを特徴とする請求項７記載の快速にスプレー缶を挟むことができる挟み機構。
【請求項９】
前記二つの掴み部は前記二つの引動部まで延伸することを特徴とする請求項１記載の快速にスプレー缶を挟むことができる挟み機構。
【請求項１０】
前記ばねは前記二つの引動部の間に結合し、前記ばねは捻りばねであることを特徴とする請求項１記載の快速にスプレー缶を挟むことができる挟み機構。
【請求項１１】
前記挟み機構は更にピンが備えられ、ピンはばねを貫き通り、かつ前記二つの引動部と前記二つの掴み部の連接個所に結合されることを特徴とする請求項１記載の快速にスプレー缶を挟むことができる挟み機構。
【考案の詳細な説明】
【技術分野】
【０００１】
本考案の主要に挟み機構を開示するもので、特に快速にスプレー缶を挟むことができる挟み機構を指す。
【背景技術】
【０００２】
添付のアメリカ合衆国第5819985号「SPRAY CAN
ACTUATOR WITH ENHANCED ATTACHMENT MECHANISM」特許を参照ください。図１から図３に示すように、それにはアクチュエーター(actuator)10とクランプリング(clamp
ring)38が備えられ、アクチュエーター10の一端には前部20が設けられ、前部20の前方には開口24が設けられ、前部20の両側には結合部材22がそれぞれ設けられてある。同時に図５と図６に示すように、前記結合部材22の内縁はスプレー缶12の環状突起26に結合され、前記結合部材22の外縁には最少一つの突起輪52と横方向の嵌め溝46が設けられてある。前記アクチュエーター10の他の一端にはグリップ部18が設けられ、前記アクチュエーター10には作動棒30とトリガー36が備えられ、作動棒30の一端は前記前部20から前部20の前記開口24内まで延伸し、作動棒30の他の一端はトリガー36に結合され、トリガー36はグリップ部18の前方に取り付けられてある。
【０００３】
前記クランプリング38には縦軸40が設けられ、縦軸40は内側へ延伸してロック(lock)48が設けられ、前記クランプリング38の内側には左右に対応する二つの突起44が設けられ、二つの突起44には屈曲性が備えられ、二つの突起44は前記嵌め溝46内に挿入して設けられ、かつ前記クランプリング38の内縁は前記結合部材22の外縁及び前記突起輪52をしっかり挟み付け、前記クランプリング38は前記結合部材22に相対して回転しなくなる。これにより、前記トリガー36をグリップ部18の前方へ押し付け、前記作動棒30は下へ作動してスプレー缶12のプッシュボタン(push button)14を押し付け、プッシュボタン14のノズル(nozzle)から前記前部20の開口24よりスプレー缶12の内容物を吹き出すことができる。
【０００４】
ところがその従来の構造には依然多くの欠点があり、前記クランプリング38の内縁が前記結合部材22の外縁及び前記突起輪52を挟み付け、かつ前記クランプリング38の二つの突起44が前記結合部材22の嵌め溝46内に挿入し、前記作動棒30の結合部材22はスプレー缶12の環状突起26を挟み付けるが、前記結合部材22の突起輪52はプラスチック成型であるので、ある時間使用されると突起輪52は磨耗しやすく、前記クランプリング38は結合部材22をしっかり挟み付けなくなり、そのために結合部材22はスプレー缶12の環状突起26を掴むことができなく、前記アクチュエーター10の寿命が長くないので、それは実に改善する必要がある。
【０００５】
また、毎回とも前記ロック48を下へ押さなければ前記クランプリング38の二つの突起44は前記嵌め溝46内に挿入されなく、かつ毎回とも前記ロック48を上へ押さなければ前記クランプリング38の二つの突起44は前記嵌め溝46から離脱できなく、前記ロック48は周辺の空間が狭いので使用者の操作に不利であり、それは実に改善する必要がある。
【０００６】
また、前記結合部材22を先にスプレー缶12の環状突起26に挟み付け、更に前記クランプリング38は結合部材22を掴むが、使用者に握られる前記結合部材22と前記クランプリング38の表面積がかなり狭いので、スプレー缶12の環状突起26を結合するのに不便であり、それは実に改善する必要がある。
【特許文献１】アメリカ合衆国第5819985号
【考案の開示】
【考案が解決しようとする課題】
【０００７】
本考案『快速にスプレー缶を挟むことができる挟み機構』には本体とばねが含まれる。本体には第一端と第二端が備えられ、第一端にはグリップ部が設けられ、第二端には挟み装置が設けられ、挟み装置内には収納空間が形成され、収納空間はスプレー缶の一端を収納することができ、挟み装置には二つの挟み部が設けられ、二つの挟み部の一端からそれぞれ引動部が延伸され、二つの挟み部の他の一端からはそれぞれ掴み部が設けられ、二つの挟み部が挟み位置にある場合、二つの引動部は外力の作用を受けなく、二つの掴み部はスプレー缶の一端を掴み取ることができ、二つの挟み部が釈放位置にある場合、二つの引動部は外力の作用を受けてスプレー缶を二つの掴み部から離脱させる。ばねは挟み装置の一端に結合し、二つの掴み部をより緊迫にスプレー缶の一端を挟むようにする。
【考案を実施するための最良の形態】
【０００８】
図１と図２、本考案による第一実施例を参照ください。それには本体10、トリガー20とばね30が含まれ、トリガー20は本体10に設けられ、ばね30は本体10の挟み装置13の一端に結合される。
【０００９】
前記本体10には二つの外殻11が含まれ、二つの外殻11は対応して結合し、外殻11は一体成型される。前記本体10には第一端と第二端が備えられ、前記本体10の第一端にはグリップ部12が設けられ、グリップ部12は使用者の握り持ちに供される。前記本体10の第二端には挟み装置13が設けられ、図３に示すように、挟み装置13内には収納空間130と孔131が形成され、収納空間130はスプレー缶50の一端を収納することができ、孔131はスプレー缶50のスプレーノズル51と対応し、挟み装置13には二つの挟み部132が設けられてある。二つの挟み部132の一端からそれぞれ引動部133が延伸され、二つの引動部133は互いに対応し、二つの挟み部132の他の一端からそれぞれ掴み部134が延伸され、二つの掴み部134は互いに対応し、二つの掴み部134はそれぞれ横方向に二つの引動部133まで延伸する。二つの挟み部132が挟み位置にある場合、二つの引動部133は外力の作用を受けなく、二つの掴み部134はスプレー缶50の挟み部52を掴み取ることができ、二つの挟み部132が釈放位置にある場合、二つの引動部133は外力の作用を受けてスプレー缶50を二つの掴み部134から離脱させる。二つの掴み部134のスプレー缶50に接近する個所は支え面135を形成し、支え面135はスプレー缶50の環状突起53の下側を支える。二つの掴み部134の支え面135の上側には最少一つの突起136が設けられ、突起136はＬ字形に表れ、突起136の一端には当て付け部137と位置限定部138が設けられ、当て付け部137はスプレー缶50の環状突起53の上側を当て付け、位置限定部138はスプレー缶50の環状突起53の外側を当て付ける。
【００１０】
トリガー20は本体10に設けられる。トリガー20には引き押し部21と押し付け部22が設けられ、押し付け部22は収納空間130に伸び込み、押し付け部22はスプレー缶50のプッシュボタン54の上側に位置し、図４に示すように、グリップ部12の方向へ引き押し部21を引き押さえ、押し付け部22はプッシュボタン54を下へ押し付け、スプレー缶12の内容物はノズル51から開口131よりを吹き出す。
【００１１】
ばね30は捻りばねに実施されてもよい。ばね30は挟み装置13の二つの引動部133の内側間に結合され、ばね30は二つの引動部133の復帰の力を提供し、二つの掴み部134はより緊密にスプレー缶50の一端を挟むようになる。
【００１２】
前記挟み機構は更にピン40を含み、ピン40はばね30を貫き通り、かつ二つの引動部133と二つの掴み部134の連接個所に結合される。
【００１３】
図５に示すように、二つの挟み部132が挟み位置にある場合、二つの掴み部134の間はスプレー缶50の挟み部52を掴み取ることができ、二つの掴み部134のスプレー缶50に接近する個所は支え面135を形成し、支え面135はスプレー缶50の環状突起53の下側を支える。当て付け部137はスプレー缶50の環状突起53の上側を当て付け、位置限定部138はスプレー缶50の環状突起53の外側を当て付ける。
【００１４】
図６に示すように、二つの挟み部132が釈放位置にある場合、スプレー缶50は二つの掴み部134から離脱し、スプレー缶50は外力を受けない状態にある。図７に示すように、二つの挟み部132が挟み位置にある場合、二つの引動部133は外力の作用を受けなく、二つの掴み部134のばね30に異なる隣接個所は密閉状態に表れる。図８に示すように、二つの挟み部132が釈放位置にある場合、二つの引動部133はそれぞれ外力の作用を受けて二つの引動部133は内側へ運動し、かつ二つの掴み部134は外へ開き、二つの掴み部134のばね30に異なる隣接個所は開口139を形成する。
【００１５】
図９に示すのは本考案の第二実施例であり、それと第一実施例の差異は本体60の二つの掴み部62はそれぞれ縦方向に二つの引動部63まで延伸し、第一実施例と同じ効果を生じる。図10に示すように、二つの挟み部61が挟み位置にある場合、二つの引動部63は外力の作用を受けなく、二つの掴み部62のばね30に異なる隣接個所は密閉状態に表れる。図11示すように、二つの挟み部61が釈放位置にある場合、二つの引動部63はそれぞれ外力の作用を受けて二つの引動部63は内側へ運動し、かつ二つの掴み部62は外へ開き、二つの掴み部62のばね30に異なる隣接個所は開口64を形成する。
【図面の簡単な説明】
【００１６】
【図１】本考案の立体外観図である。
【図２】本考案の立体分解図である。
【図３】本考案の使用状態の意表図であり、二つの掴み部がスプレー缶を挟み取っていることを表す。
【図４】図３の延長継続であり、トリガーの押し付け部がスプレー缶のプッシュボタンを押し付け、スプレー缶の内容物をノズルから孔の外へ噴出さすことを表す。
【図５】本考案図３の5−5断面に沿って取った断面図であり、二つの掴み部がスプレー缶を挟み取っていることを表す。
【図６】図５の延長継続であり、二つの掴み部がスプレー缶から離脱したことを表す。
【図７】図１の上見図であり、二つの挟み部が挟み位置にあることを表す。
【図８】図７の延長継続であり、二つの挟み部が釈放位置にあることを表す。
【図９】本考案第二実施例の立体外観図である。
【図１０】図９の左側面図であり、二つの挟み部が挟み位置にあることを表す。
【図１１】図10の延長継続であり、二つの挟み部が釈放位置にあることを表す。
【符号の説明】
【００１７】
10    本体
11    外殻
12    グリップ部
13    挟み装置
130   収納空間
131   孔
132   挟み部
133   引動部
134   掴み部
135   支え面
136   突起
137   当て付け部
138   位置限定部
139   開口
20    トリガー
21 
引き押し部
22    押し付け部
30    ばね
40    ピン
50    スプレー缶
51    ノズル
52    挟み部
53    環状突起
54    プッシュボタン
60    本体
61    挟み部
62    掴み部
63    引動部
64    開口
【図１】
0003134856.tif 000003
【図２】
0003134856.tif 000004
【図３】
0003134856.tif 000005
【図４】
0003134856.tif 000006
【図５】
0003134856.tif 000007
【図６】
0003134856.tif 000008
【図７】
0003134856.tif 000009
【図８】
0003134856.tif 000010
【図９】
0003134856.tif 000011
【図１０】
0003134856.tif 000012
【図１１】
0003134856.tif 000013
【手続補正書】
【提出日】平成19年7月4日(2007.7.4)
【手続補正１】
【補正対象書類名】実用新案登録請求の範囲
【補正対象項目名】請求項１
【補正方法】変更
【補正の内容】
【請求項１】
快速にスプレー(spray)缶を挟むことができる挟み機構であって、第一端と第二端を備える本体と、ばねとからなり、
前記第一端にはグリップ(grip)部が設けられ、前記第二端には挟み装置が設けられ、前記挟み装置内には収納空間が形成され、前記収納空間はスプレー缶の一端を収納することができ、前記挟み装置には二つの挟み部が設けられ、二つの前記挟み部の一端からそれぞれ引動部が延伸され、二つの前記挟み部の他の一端からはそれぞれ掴み部が設けられ、二つの前記挟み部が挟み位置にある場合、二つの前記引動部は外力の作用を受けなく、二つの前記掴み部はスプレー缶の一端を掴み取ることができる一方、二つの前記挟み部が釈放位置にある場合、二つの前記引動部は外力の作用を受けてスプレー缶を二つの掴み部から離脱させるとともに、前記ばねは、前記挟み装置の一端に結合し、二つの前記掴み部をより緊迫にスプレー缶の一端を挟むように構成したことを特徴とする快速にスプレー缶を挟むことができる挟み機構。